(57)【特許請求の範囲】
【請求項１】
自動車の点火装置用の点火出力段回路装置であって、点火コイル（１６）の一次巻線（１４）を流れる電流をオン／オフするスイッチ手段（Ｔ３）と、該スイッチ手段（Ｔ３）に対する制御回路（１０）とを有し、
該制御回路（１０）は前記点火コイル（１６）の前記一次巻線（１４）を流れる電流を２段階でスイッチオンする形式の回路装置において、
切り替え可能であり、前記スイッチ手段（Ｔ３）をブリッジオーバし、制限された電流を導く高抵抗の並列分岐路（Ｒ３，Ｔ２）が設けられており、
前記制御回路（１０）により、該制御回路（１０）の外側で設定されたスイッチオン時点（ｔ０）で、前記一次巻線を流れる電流に対して前記スイッチ手段（Ｔ３）が阻止され、同時に前記並列分岐路（Ｒ３，Ｔ２）がスイッチオンされ、
スイッチオン時点（ｔ０）の後の所定の切替時点（ｔ１）で前記スイッチ手段（Ｔ３）の阻止が再び解除され、
前記スイッチ手段（Ｔ３）の阻止は、前記制御回路（１０）により制御される時限素子（２２）を備えた補助トランジスタ（ｔ１）によって行われ、
該時限素子（２２）は前記スイッチオン時点（ｔ０）と同時に作動され、所定の前記切替時点（ｔ１）で満了し、
該切替時点（ｔ１）は、高抵抗の前記並列分岐路（Ｒ３，Ｔ２）のスイッチオン時に点火コイル（１６）に誘導される一次電圧の減衰フェーズ内にある、
ことを特徴とする回路装置。
【請求項２】
前記スイッチオン時点（ｔ０）で前記スイッチ手段（Ｔ３）は抵抗（Ｒ３）により高抵抗にブリッジオーバされる、請求項１記載の回路装置。
【請求項３】
前記スイッチ手段（Ｔ３）はダーリントンスイッチングトランジスタである、請求項１または２記載の回路装置。
【請求項４】
前記補助トランジスタ（Ｔ１）は前記スイッチ手段（Ｔ３）を阻止するために、前記ダーリントンスイッチングトランジスタのベース／エミッタ区間をブリッジオーバする、請求項１から３までのいずれか１項記載の回路装置。
【請求項５】
前記切替時点（ｔ１）は、前記スイッチオン時点（ｔ０）の約３０μｓ後である、請求項１から４までのいずれか１項記載の回路装置。
【請求項６】
前記スイッチ手段（Ｔ３）に対する高抵抗の前記並列分岐路（Ｒ３，Ｔ２）は、飽和外で駆動されるトランジスタ（Ｔ２）により形成される、請求項１から５までのいずれか１項記載の回路装置。
【請求項７】
前記点火コイル（１６）の前記一次巻線を流れる電流のスイッチオンは、ダーリントンスイッチングトランジスタとして構成された前記スイッチ手段（Ｔ３）により、ダーリントンスイッチングトランジスタのコレクタ（Ｃ）における電圧の減少の検知によって行う、請求項３または請求項３を引用する限りにおいて請求項４から６までのいずれか１項記載の回路装置。
【発明の詳細な説明】
本発明は、請求項１の上位概念に記載された構成を有する、例えば自動車の点火回路用の点火出力段回路装置に関する。
従来の技術
点火装置、とりわけ１プラグ点火装置または無分配器式マルチプラグ点火装置では、点火プラグが点火コイルの二次巻線と直接接続されている。点火コイルの二次巻線は、スイッチ手段を介して制御される点火コイルの一次巻線と共働する。ここでの欠点は、二次巻線に一次電流がスイッチオンされる際に高電圧が誘導され、この高電圧によりスイッチオン時点で点火コイルに点火スパークの発生する恐れのあることである。このスイッチオン時の点火スポークは不所望のものである。なぜなら、これが点火装置を有する内燃機関の破壊につながる恐れがあるからである。
ＥＰ０２４４６３３Ｂ１から、内燃機関に対する点火装置が公知であり、この点火装置では一次巻線が制御回路によって制御される。この制御回路は一次巻線の電流の上昇を制御する。これによって、スイッチオン時の点火スパーク発生が抑圧される。公知の回路の欠点は比較的面倒なことである。
発明の利点
請求項１の構成を有する本発明の回路装置は、容易に既存の制御回路に組み込むことのできる簡単な手段によりスイッチオン時の点火スパーク発生を抑圧できるという利点を有する。制御回路が点火コイルを２段階でスイッチオンすることにより、スイッチオン時点で一次電流を制限し、これにより一次電圧跳躍が二次巻線へ伝達されるのを阻止することが簡単に可能である。
本発明の有利な実施例では、２段階のスイッチオンが時限素子を介して行われる。これにより第１の回路状態から第２の回路状態への切替時点を設定することができる。切り替えは有利には、二次巻線の二次電圧が、第１の回路段のスイッチオン電流によるスイッチオン後、減衰している時点で行う。一次巻線をこのように時間的に所定の時間間隔で相互にずらして制御することにより、点火コイルに対して必要な二次電圧に到達することが保証され、それより以前にスイッチオン時点で点火スパークが、スイッチオン時点での一次電圧跳躍よって発生することがない。
本発明のさらに有利な構成は従属請求項から明らかである。
図面
本発明を、以下実施例に基づき図面を参照して詳細に説明する。
図１は、点火出力段の回路図、
図２から図５は、点火出力段の電圧と電流の経過を示す線図である。
実施例の説明
図１は、内燃機関の点火出力段の回路装置１０を示す。図１には単に１つの点火出力段だけが示されており、内燃機関の気筒数に応じて相応する数の点火出力段が設けられる。
スイッチングトランジスタＴ３のベースに配属された入力端子１２には機関制御部の出力信号が印加される。端子１２は抵抗Ｒ１を介してトランジスタＴ３のベースと接続されている。トランジスタＴ３は多重ダーリントントランジスタ段として構成されている。トランジスタＴ３のコレクタは点火コイル１６の一次巻線１４と接続されており、一次巻線の他方の端子は供給電圧、例えば自動車バッテリーの電圧ＵBatに接続されている。点火コイル１６は公知のように二次巻線１８を有し、二次巻線の一方の端子も同じように供給電圧に接続され、他方の端子は点火コイル２０と接続している。トランジスタＴ３のエミッタＣはアースと接続されている。
さらに入力端子１２は抵抗Ｒ２を介してトランジスタＴ２のベースと接続されている。トランジスタＴ２のコレクタは抵抗Ｒ３を介してトランジスタＴ３のコレクタＣと接続されている。トランジスタＴ２のエミッタはトランジスタＴ３のエミッタＥと接続されている。
さらに入力端子１２は時限素子２２の入力端と接続されており、時限素子の出力端はトランジスタＴ１のベースと接続されている。トランジスタＴ１のコレクタはトランジスタＴ３のベースと、トランジスタＴ１のエミッタはトランジスタＴ３のエミッタＥと接続されている。
図１に示された回路装置は次のように機能する。
入力端子１２の入力信号によりトランジスタＴ２とＴ１が制御され、これらは即時に導通する。ここで制御されたトランジスタＴ１は、トランジスタＴ１のコレクタとトランジスタＴ３のベースとに接続によりトランジスタＴ３を阻止する。一次巻線１４とアースとのコレクタ端子Ｃを介した接続は、制御されたトランジスタＴ２およびこれに直列に接続された抵抗Ｒ３により行われる。抵抗Ｒ３は高抵抗に選択されている。すなわち、この抵抗は一次巻線１４の抵抗よりも格段に大きな抵抗を有する。トランジスタＴ２と抵抗Ｒ３を介してトランジスタＴ３は実質的にブリッジオーバされる。
時限素子２２で前もって定められた時間が経過するとトランジスタＴ１は阻止され、これによりトランジスタＴ３が制御される。電圧源と点火コイル１６の一次巻線との間の接続は今度はトランジスタＴ３を介して行われ、このとき抵抗Ｒ３とトランジスタＴ２を介した接続は抵抗Ｒ３が高抵抗であるので無視することができる。しかし適切な手段によりトランジスタＴ２はトランジスタＴ３のスイッチオンと同時に阻止することができる。点火プラグ２０の点火時点でトランジスタＴ２とＴ３は阻止される。場合により必要なクランプはトランジスタＴ３により引き継がれる。
図２と図３には、トランジスタＴ２のコレクタ／エミッタ電圧ＵCET2と、点火コイルの二次電圧Ｕsekの経過が示されている。図２ではまず、スイッチオン時点、すなわち時点ｔ０で入力端子１２に機関制御部の出力信号が印加される。電圧ＵCET3はＥ関数に従って上昇するのではなく、トランジスタＴ２が持続的に導通制御されていてもまず発振することがわかる。このことは電圧経過ＵCET2から明らかである。この発振は、二次回路に存在する巻線および線路キャパシタが点火コイル１６の一次側に及び影響から生じる。この電圧経過ＵCET3の発振周波数は供給電圧、すなわち自動車バッテリーの電圧には依存しない。図２に示した電圧経過は、トランジスタＴ３が常時阻止されたなら生じることとなる。トランジスタＴ３のスイッチオンを時限素子２２（図１に基づいて説明したように）を介して遅延することにより、時点ｔ１で図３に示すような電圧ないし電流経過が得られる。時点ｔ１は一次電圧の減衰フェーズで時点ｔ０の約３０μｓ後の時点である。ここではトランジスタＴ３が制御されるから、以降、電圧ＵCET2は０に降下する。なぜなら、高抵抗の抵抗Ｒ３に基づいてトランジスタＴ２と抵抗Ｒ３を介して実質的に電流がほとんど流れなくなるからである。
二次電圧Ｕsekの経過に基づき、この電圧がスイッチオン時点で、ないしはスイッチオン時点ｔ０の直後に、制御できない点火スパークを点火コイル２０に生じさせるような値まで発振しないことが明らかである。二次電圧Ｕsekの大きさは、点火コイル１６の巻線比に依存し、全電流ランプを通じて１ｋＶの値を上回ることはない。
図４と図５に基づき、電圧と点火電流の経過を再度示す。ここでは、図１による本発明の回路装置を有する点火出力段での関係（図４）と、点火コイルを２段階でスイッチオンしない場合の点火出力段での関係が対比されている。二次電圧Ｕsekは、２段階スイッチオンしない場合（図５）、ＵCET3により惹起される一次電圧跳躍の重畳によって発振し、次に二次電圧跳躍は徐々に減衰する。この二次電圧跳躍のピーク値は、点火コイル電流Ｉが上昇する間、誘導された電圧Ｕsekを越えている。この電圧ピークにより点火コイル２０で制御されずに点火スパークの発生することがある。点火コイルを２段階でスイッチオンする、図４に示された二次電圧Ｕsekの経過では、この電圧ピークが発生しない。
【図１】
0004124276.tif 000002
【図２】
0004124276.tif 000003
【図３】
0004124276.tif 000004
【図４】
0004124276.tif 000005
【図５】
0004124276.tif 000006